(57)【要約】【課題】光記録媒体に衝撃が加わったときでも、光記録媒体に傷が付くのを確実に防止することのできる光ヘッド装置を提供すること。【解決手段】光記録媒体２の外周側に対物レンズ３が位置しているときに光記録媒体２に衝撃が加わって光記録媒体２が保護部材５と衝突すると、光記録媒体２を押し上げようとするモーメントが大きいので、ディスクチャッキング機構６が外れ、光記録媒体２が傾いた姿勢で保護部材５と接する。この場合でも、保護部材５の上面は、内周側が水平部分５１になっており、この水平部分５１からＲ形状をもつ外周部分５２が連続して形成された断面形状を有しているため、傾いた姿勢の光記録媒体２であっても、保護部材５との接触面積が広く、接触圧が小さい。従って、光記録媒体２に傷が付くのを確実に防止することができる。【選択図】      図２
2004171680.tif 000002
【特許請求の範囲】
【請求項１】
光源からの出射光を光記録媒体に収束させる対物レンズと、該対物レンズが載置されるレンズ保持部を備えたレンズホルダと、前記対物レンズの外周縁を覆う保護部材とを有する光ヘッド装置において、
前記保護部材は、上面から外周側面にかけてＲ形状をもつ断面形状を有していることを特徴とする光ヘッド装置。
【請求項２】
請求項１において、前記保護部材の上面は、内周側が水平部分になっており、当該水平部分からＲ形状をもつ外周部分が連続して形成された断面形状を有していることを特徴とする光ヘッド装置。
【請求項３】
請求項１または２において、前記保護部材は、リング状であり、周方向の全体が前記Ｒ形状の外周部分をもつ断面形状を有していることを特徴とする光ヘッド装置。
【請求項４】
請求項１または２において、前記保護部材は、リング状であり、周方向の一部が前記Ｒ形状の外周部分をもつ断面形状を有していることを特徴とする光ヘッド装置。
【請求項５】
請求項１ないし４のいずれかにおいて、前記保護部材の表面の断面形状は、中心近傍が略水平であって、最外周が水平部分から略５°のＲ形状になっていることを特徴とする光ヘッド装置。
【発明の詳細な説明】
【０００１】
【発明の属する技術分野】
本発明は、光記録媒体の記録、再生に用いられる光ヘッド装置に関するものである。さらに詳しくは、対物レンズの外周縁に重なる保護部材の構成に対するものである。
【０００２】
【従来の技術】
ＣＤ−ＲＯＭ（Ｃｏｍｐａｃｔ  Ｄｉｓｋ  Ｒｅａｄ  Ｏｎｌｙ  Ｍｅｍｏｒｙ）、ＣＤ−Ｒ（Ｃｏｍｐａｃｔ  Ｄｉｓｋ  Ｒｅｃｏｒｄａｂｌｅ）、ＣＤ−ＲＷ（Ｃｏｍｐａｃｔ  Ｄｉｓｋ  Ｒｅｗｒｉｔａｂｌｅ）、ＤＶＤ−ＲＯＭ（Ｄｉｇｉｔａｌ  Ｖｅｒｓａｔｉｌｅ  Ｄｉｓｋ  Ｒｅａｄ  Ｏｎｌｙ  Ｍｅｍｏｒｙ）、ＤＶＤ−ＲＷ（Ｄｉｇｉｔａｌ  Ｖｅｒｓａｔｉｌｅ  Ｄｉｓｋ  Ｒｅａｄ  Ｏｎｌｙ  Ｍｅｍｏｒｙ）、ＤＶＤ−ＲＷ（Ｒｅｗｒｉｔａｂｌｅ）などの光記録媒体に対する記録あるいは再生には、図４（Ａ）に示すように、光源からの出射光を光記録媒体に収束させる対物レンズ３と、この対物レンズ３が載置されるレンズ保持部１１を備えたレンズホルダ１０とを有する光ヘッド装置が用いられる。
【０００３】
ここで、対物レンズ３の外周縁には、リング状の保護部材９が重ねられており、図４（Ｂ）に示すように、衝撃などによって光記録媒体２がレンズホルダ１０に衝突しようしたときでも、光記録媒体は、保護部材９と接触するようになっている。
【０００４】
ここで、光記録媒体２が静止している時の衝突は、衝突によって光記録媒体２に傷がついてもその範囲が狭く、かつ、保護部材９があれば、傷の発生を小さく抑えることができる。これに対して、光記録媒体２が回転している時の衝突は、光記録媒体２に円周状の擦り傷を発生させる危険性が高く、このような傷は、連続したデータ破壊の原因となるので、重大な問題点となる。
【０００５】
このため、保護部材９は、対物レンズ３の保護と併せて、光記録媒体２の保護という重要な機能を担っており、ゴムや弾性樹脂などといった弾性を備えた材料で構成されている。なお、保護部材９としては、光記録媒体２の回転方向と直交する方向に配置して、衝突時においても読み取り信号の再生を可能にしたものもある。いずれにしても、保護部材９は、断面矩形であり、衝撃などによって光記録媒体２がレンズホルダ１０に衝突したとき、図４（Ｂ）、および図４（Ｃ）に一点鎖線で示すように、光記録媒体２は、保護部材９の水平な上面９１と接触することになる（例えば、特許文献１、２参照）。
【０００６】
【特許文献１】
特開２０００−２０９７７（図１）
【特許文献２】
特開２００２−２２２５３５（図３）
【０００７】
【発明が解決しようとする課題】
このように構成した光ヘッド装置において、光記録媒体２の内周側に対物レンズ３が位置しているときに光記録媒体２に衝撃が加わって、光記録媒体２が保護部材５と衝突したときには、光記録媒体２に作用するモーメントが小さいので、ディスクチャッキング機構６が外れることがないため、図４（Ｂ）、および図４（Ｃ）を参照して説明したように、光記録媒体２は、保護部材９の水平な上面９１と十分な接触面積をもって接触する。このため、接触圧が小さいので、光記録媒体２に傷が付かない。
【０００８】
しかしながら、図４（Ｄ）に示すように、光記録媒体２の外周側に対物レンズ３が位置しているときに光記録媒体２に衝撃が加わって光記録媒体２が保護部材５９に衝突すると、光記録媒体２にはそれを押し上げようとする大きなモーメントが加わるので、ディスクチャッキング機構６が外れ、図４（Ｃ）に二点鎖線で示すように、光記録媒体２が傾いた姿勢で保護部材９の外周側の角部分９２に接触することになる。この状態では保護部材９と光記録媒体２との接触面積が極めて狭く、接触圧が大きいため、光記録媒体２に傷が付いてしまうという問題点がある。
【０００９】
以上の問題点に鑑みて、本発明の課題は、光記録媒体に衝撃が加わったときでも、光記録媒体に傷が付くのを確実に防止することのできる光ヘッド装置を提供することにある。
【００１０】
【課題を解決するための手段】
上記課題を解決するため、本発明では、光源からの出射光を光記録媒体に収束させる対物レンズと、該対物レンズが載置されるレンズ保持部を備えたレンズホルダと、前記対物レンズの外周縁を覆う保護部材とを有する光ヘッド装置において、前記保護部材は、上面から外周側面にかけてＲ形状をもつ断面形状を有していることを特徴とする。
【００１１】
本発明では、保護部材は、上面から外周側面にかけてＲ形状をもつ断面形状を有しているため、光記録媒体が斜めに傾いた姿勢で保護部材と接触した場合でも、保護部材と光記録媒体とが接する部分の面積が広く、接触圧が小さい。従って、光記録媒体に傷が付くのを確実に防止することができる。
【００１２】
本発明において、前記保護部材の上面は、内周側が水平部分になっており、当該水平部分からＲ形状をもつ外周部分が連続して形成された断面形状を有していることが好ましい。このように構成すると、光記録媒体が水平姿勢のまま保護部材に接しても、このとき接するのは、保護部材の上面の水平部分である。それ故、保護部材と光記録媒体とが接する部分の面積が広く、接触圧が小さいので、光記録媒体に傷が付くのを確実に防止することができる。
【００１３】
本発明において、前記保護部材がリング状の場合、当該保護部材の周方向の全体が前記Ｒ形状の外周部分をもつ断面形状を有していることが好ましい。
【００１４】
本発明において、前記保護部材がリング状であり、周方向の一部が前記Ｒ形状の外周部分をもつ断面形状を有している構成であってもよい。
【００１５】
本発明において、前記保護部材の表面の断面形状は、中心近傍が略水平であって、最外周が水平部分から略５°のＲ形状になっていることが好ましい。このように構成すると、前記保護部材は、光記録媒体が傾いたときでも当該光記録媒体の傾きが５°以下であるときには常に前記Ｒ形状の外周部分が光記録媒体に接することになる。すなわち、光記録媒体駆動装置においては、光記録媒体の上面にはカバーなどが配置され、光記録媒体が傾いたときには光記録媒体がカバーなどに当たるため、光記録媒体の傾きは、最大でも５°位に制限されている。従って、保護部材については光記録媒体の傾きが５°以下であるときに常にＲ形状の外周部分が光記録媒体に接するように形成しておけばよい。
【００１６】
【発明の実施の形態】
以下に図面を参照して本発明を適用した光ヘッド装置を説明する。
【００１７】
図１（Ａ）、（Ｂ）はそれぞれ、軸摺動回動型アクチュエータを備えた光ヘッド装置を模式的に示す説明図、およびワイヤーサスペンジョン型アクチュエータを備えた光ヘッド装置の説明図である。図２（Ａ）〜（Ｄ）はそれぞれ、本発明を適用した光ヘッド装置に用いた保護部材などの説明図、光記録媒体が水平姿勢のまま保護部材と衝突する様子を示す説明図、保護部材の断面形状を拡大して示す説明図、および光記録媒体が斜めに傾いた姿勢で保護部材と衝突する様子を示す説明図である。
【００１８】
図１（Ａ）に示す軸摺動回動型アクチュエータを備えた光ヘッド装置は、光記録媒体の半径方向に走査可能なフレーム２０上に、レンズホルダ２２が支軸２１に支持された状態にある。レンズホルダ２２は、磁気駆動回路によって、トラッキング駆動時には、矢印Ｔ１で示すように、支軸２１周りに回動可能であるとともに、フォーカシング駆動時には、矢印Ｆ１で示すように、支軸２１に沿って摺動可能である。
【００１９】
また、図１（Ｂ）に示すワイヤーサスペンジョン型アクチュエータを備えた光ヘッド装置は、光記録媒体２の半径方向に走査可能なフレーム３０上で、例えば、４本のワイヤー３１でレンズホルダ３２が支持された状態にある。レンズホルダ３２は、磁気駆動回路によって、トラッキング駆動時には、矢印Ｔ２で示すように、ワイヤー３１の変形によりトラッキング方向に変位可能であるとともに、フォーカシング駆動時には、矢印Ｆ２で示すように、ワイヤー３１の変形によりフォーカシング方向に変位可能である。
【００２０】
これらいずれのタイプの光ヘッド装置においても、図２（Ａ）に示すように、レンズホルダ１０はレンズ保持部１１を備えており、このレンズ保持部１１には、光源からの出射光を光記録媒体に収束させる対物レンズ３が搭載されている。また、対物レンズ３の外周縁には、ゴムや弾性樹脂などといった弾性材料からなるリング状の保護部材５が重ねられ、かつ、接着固定されている。このため、図２（Ｂ）に示すように、衝撃などによって光記録媒体２がレンズホルダ１０や対物レンズ３に衝突しようとしたときでも、光記録媒体は、保護部材９と接触する。
【００２１】
このように構成した光ヘッド装置において、保護部材５は、図２（Ｃ）に示すように、全周にわたって上面から外周側面にかけてＲ形状をもつ断面形状を有している。すなわち、保護部材５の上面は、内周側が水平部分５１になっており、この水平部分５１からＲ形状をもつ外周部分５２が連続して形成された断面形状を有している。すなわち、保護部材５の表面の断面形状は、中心近傍が略水平であって、最外周が水平部分から略５°のＲ形状になっている。従って、保護部材５の上面には屈曲部分などがなく、なだらかな形状を有している。
【００２２】
このように構成した光ヘッド装置において、図２（Ｂ）に示すように、光記録媒体２の内周側に対物レンズ３が位置しているときに光記録媒体２に衝撃が加わって光記録媒体２が保護部材５と衝突したときでも、光記録媒体２に作用するモーメントが小さいので、ディスクチャッキング機構６が外れることがない。従って、光記録媒体２は、水平姿勢のまま保護部材５の上面に接するが、このとき接するのは、保護部材５の上面内周側の水平部分５１である。それ故、保護部材５と光記録媒体２とが接する部分の面積が広いので、接触圧が小さく、光記録媒体２に傷が付くのを確実に防止することができる。
【００２３】
これに対して、図２（Ｄ）に示すように、光記録媒体２の外周側に対物レンズ３が位置しているときに光記録媒体２に衝撃が加わって光記録媒体２が保護部材５と衝突すると、光記録媒体２を押し上げようとするモーメントが大きいので、ディスクチャッキング機構６が外れ、光記録媒体２が傾いた姿勢で保護部材５と接する。但し、本形態において、保護部材５の外周部分５２は、上面から外周側面にかけてＲ形状をもつ断面形状を有しているため、傾いた姿勢の光記録媒体２であっても、保護部材５との接触面積が広く、接触圧が小さい。このため、光記録媒体２に傷が付くのを確実に防止することができる。
【００２４】
ここで、光記録媒体駆動装置においては、光記録媒体２の上面にはカバー（図示せず）などが配置され、光記録媒体２が傾いたときには光記録媒体２がカバーに当たるため、光記録媒体２の傾きは、最大でも５°位に制限されている。従って、保護部材５については光記録媒体２の傾きが５°以下であるときに常にＲ形状の外周部分５２が光記録媒体２に接するように形成してある。
【００２５】
このように本形態によれば、光記録媒体２に衝撃が加わって、光記録媒体２が水平姿勢のまま保護部材５に衝突した場合、および光記録媒体２が斜めに傾いた姿勢で保護部材５に接触した場合のいずれにおいても、保護部材５と光記録媒体２とが接する部分の面積が広いため、光記録媒体２に傷が付くのを確実に防止することができる。
【００２６】
（その他の実施の形態）
なお、上記形態では、リング状の保護部材２において、周方向の全体がＲ形状の外周部分をもつ断面形状を有している構成であったが、リング状の保護部材において、周方向の一部がＲ形状の外周部分をもつ断面形状を有している構成であってもよい。
【００２７】
例えば、図１（Ｂ）に示すワイヤーサスペンジョン型アクチュエータに用いる保護部材５においては、図３（Ａ）、（Ｂ）に示すように、トラッキング方向と直交する側（タンジェント方向／矢印ＴＡで示す）では、内周側が水平部分５１になっており、この水平部分５１からＲ形状をもつ外周部分５２が連続して形成された断面形状を有している一方、図３（Ａ）、（Ｃ）に示すように、トラッキング方向（矢印Ｔで示す）においては、矩形の断面形状を有している構成であってもよい。
【００２８】
【発明の効果】
以上説明したように、本発明によれば、光記録媒体に衝撃が加わって、光記録媒体が斜めに傾いた姿勢で保護部材に衝突した場合でも、保護部材と光記録媒体とが接する部分の面積が広いため、光記録媒体に傷が付くのを確実に防止することができる。
【図面の簡単な説明】
【図１】（Ａ）、（Ｂ）はそれぞれ、軸摺動回動型アクチュエータを備えた光ヘッド装置を模式的に示す説明図、およびワイヤーサスペンジョン型アクチュエータを備えた光ヘッド装置の説明図である。
【図２】（Ａ）〜（Ｄ）はそれぞれ、本発明を適用した光ヘッド装置に用いた保護部材などの説明図、光記録媒体が水平姿勢のまま保護部材と衝突する様子を示す説明図、保護部材の断面形状を拡大して示す説明図、および光記録媒体が斜めに傾いた姿勢で保護部材と衝突する様子を示す説明図である。
【図３】（Ａ）〜（Ｃ）はそれぞれ、本発明を適用した別の光ヘッド装置に用いた保護部材などの説明図、この保護部材をトラッキング方向と直交する方向に切断したときの断面図、および保護部材をトラッキング方向に切断したときの断面図である。
【図４】（Ａ）〜（Ｄ）はそれぞれ、従来の光ヘッド装置に用いた保護部材などの説明図、光記録媒体が水平姿勢のまま保護部材と衝突する様子を示す説明図、保護部材の断面形状を拡大して示す説明図、および光記録媒体が斜めに傾いた姿勢で保護部材と衝突する様子を示す説明図である。
【符号の説明】
３  対物レンズ
５  保護部材
６  チャッキング機構
１０  レンズホルダ
１１  レンズ保持部
５１  保護部材の上面の水平部
５２  保護部材のＲ形状をもつ外周部分
【図１】
2004171680.tif 000003
【図２】
2004171680.tif 000004
【図３】
2004171680.tif 000005
【図４】
2004171680.tif 000006